(57)【要約】【課題】追焚運転の際に浴槽の浴水がいつまでも温まらないといったユーザーにとっての不快感を防止できるとともに、浴槽の浴水を昇温する際に貯湯タンクの残湯を有効利用できる貯湯式給湯システムを提供する。【解決手段】貯湯式給湯システム１は、貯湯タンク４と、浴槽９２の浴水を加熱する追焚運転のときに貯湯タンク４の湯と浴水との間で熱を交換する追焚熱交換器１９と、貯湯タンク４の貯湯温度及び貯湯量を検知する貯湯温度センサ３０ａ〜３０ｄと、追焚運転を制御する制御装置５０と、を備える。ふろ設定温度、またはふろ設定温度に正の補正値を加算した温度、である基準温度に比べて貯湯温度が高い場合、または、基準温度より高い温度の貯湯量が基準値に比べて多い場合には、追焚運転の実施が許可され、貯湯温度が基準温度以下の場合、または、基準温度より高い温度の貯湯量が基準値以下の場合には、追焚運転の実施が禁止される。【選択図】図１
2017142025.tif 000002
【特許請求の範囲】
【請求項１】
貯湯タンクと、
浴槽の浴水を加熱する追焚運転のときに前記貯湯タンクの湯と前記浴水との間で熱を交換する手段と、
前記貯湯タンクの貯湯温度及び貯湯量を検知する手段と、
前記追焚運転を制御する制御手段と、
を備え、
ふろ設定温度、または前記ふろ設定温度に正の補正値を加算した温度、である基準温度に比べて前記貯湯温度が高い場合、または、前記基準温度より高い温度の貯湯量が基準値に比べて多い場合には、前記追焚運転の実施が許可され、
前記貯湯温度が前記基準温度以下の場合、または、前記基準温度より高い温度の貯湯量が前記基準値以下の場合には、前記追焚運転の実施が禁止される貯湯式給湯システム。
【請求項２】
前記追焚運転の実施中に前記ふろ設定温度が変更された場合に、その変更される前の前記ふろ設定温度の値に基づいて、前記追焚運転の実施を許可するか禁止するかが決定される請求項１に記載の貯湯式給湯システム。
【請求項３】
前記貯湯温度が下限貯湯温度に比べて低い場合には、前記ふろ設定温度にかかわらず、前記追焚運転の実施が禁止される請求項１または請求項２に記載の貯湯式給湯システム。
【請求項４】
前記下限貯湯温度をユーザーが設定可能とする手段を備える請求項３に記載の貯湯式給湯システム。
【請求項５】
前記追焚運転の実施が禁止されたことを報知する手段を備える請求項１から請求項４のいずれか一項に記載の貯湯式給湯システム。
【請求項６】
前記貯湯温度が、前記基準温度より高い第二基準温度と前記基準温度との間の温度である場合、または、前記基準温度より高い温度の貯湯量が、前記基準値より大きい第二基準値と前記基準値との間の量である場合に、前記追焚運転の実施が禁止される可能性があることを報知する手段を備える請求項１から請求項５のいずれか一項に記載の貯湯式給湯システム。
【請求項７】
前記浴槽に溜められた浴水の量が多い場合には、当該浴水の量が少ない場合に比べて、前記補正値が大きい値にされる請求項１から請求項６のいずれか一項に記載の貯湯式給湯システム。
【発明の詳細な説明】
【技術分野】
【０００１】
本発明は、貯湯式給湯システムに関する。
【背景技術】
【０００２】
下記特許文献１に開示された従来の貯湯式給湯システムでは、以下のようにする。貯湯タンク内の湯水が沸上げ必要判定残湯量以下になれば、沸上げ運転が開始される。沸上げ必要判定残湯量を判定残湯量変更信号に基づいて変更する。判定残湯量変更信号は、貯湯タンクから浴槽への給湯を行う信号でもって構成する。浴槽への給湯の前後で沸上げ必要判定残湯量を変更する。
【先行技術文献】
【特許文献】
【０００３】
【特許文献１】特開２００３−１０６６７２号公報
【発明の概要】
【発明が解決しようとする課題】
【０００４】
浴槽への給湯すなわち湯張りをする機能に加えて、貯湯タンクの湯を熱源として浴槽の浴水を加熱する追焚運転をする機能を有する貯湯式給湯システムがある。そのようなシステムにおいて、貯湯タンクの湯の温度が比較的低い状態のときに追焚運転が実施されたような場合には、浴槽の浴水を昇温するのに長時間を要するなど、ユーザーにとって使い勝手の悪いことが生じる可能性がある。
【０００５】
本発明は、上述のような課題を解決するためになされたもので、追焚運転の際に浴槽の浴水がいつまでも温まらないといったユーザーにとっての不快感を防止できるとともに、浴槽の浴水を昇温する際に貯湯タンクの残湯を有効利用できる貯湯式給湯システムを提供することを目的とする。
【課題を解決するための手段】
【０００６】
本発明に係る貯湯式給湯システムは、貯湯タンクと、浴槽の浴水を加熱する追焚運転のときに貯湯タンクの湯と浴水との間で熱を交換する手段と、貯湯タンクの貯湯温度及び貯湯量を検知する手段と、追焚運転を制御する制御手段と、を備え、ふろ設定温度、またはふろ設定温度に正の補正値を加算した温度、である基準温度に比べて貯湯温度が高い場合、または、基準温度より高い温度の貯湯量が基準値に比べて多い場合には、追焚運転の実施が許可され、貯湯温度が基準温度以下の場合、または、基準温度より高い温度の貯湯量が基準値以下の場合には、追焚運転の実施が禁止されるものである。
【発明の効果】
【０００７】
本発明の貯湯式給湯システムによれば、追焚運転の際に浴槽の浴水がいつまでも温まらないといったユーザーにとっての不快感を防止できるとともに、浴槽の浴水を昇温する際に貯湯タンクの残湯を有効利用することが可能となる。
【図面の簡単な説明】
【０００８】
【図１】実施の形態１の貯湯式給湯システムを示す図である。
【図２】実施の形態１の貯湯式給湯システムの制御動作を説明するためのフローチャートである。
【図３】実施の形態２の貯湯式給湯システムの制御動作を説明するためのフローチャートである。
【図４】リモコン装置の外観を示す図である。
【図５】実施の形態１または２の貯湯式給湯システムが備える制御装置のハードウェアの例を示す図である。
【図６】実施の形態１または２の貯湯式給湯システムが備える制御装置のハードウェアの他の例を示す図である。
【発明を実施するための形態】
【０００９】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の貯湯式給湯システムを示す図である。図１に示すように、本実施形態の貯湯式給湯システム１は、タンクユニット２、ヒートポンプユニット５、及び制御装置５０を備える。タンクユニット２は、貯湯タンク４などを搭載する。ヒートポンプユニット５は、水を加熱する加熱手段の例である。
【００１１】
制御装置５０は、貯湯式給湯システム１の各部を制御する。図示の構成では、タンクユニット２内に制御装置５０が備えられている。制御装置５０は、リモコン装置６０と通信可能に接続されている。リモコン装置６０は、ユーザーインターフェースの例である。リモコン装置６０には、ユーザー操作を受け付けるボタン等の操作部、液晶ディスプレイ等からなる表示部、マイク、スピーカ等が備えられてもよい。ユーザーは、貯湯式給湯システム１の各種の運転または動作の設定、予約、実行指令、停止指令等をリモコン装置６０へ入力できる。リモコン装置６０は、浴室に設置されてもよい。
【００１２】
ヒートポンプユニット５は、図示を省略するが、圧縮機、水冷媒熱交換器、膨張弁及び空気冷媒熱交換器を冷媒管を介して接続し、冷媒が循環する冷凍サイクル回路、空気冷媒熱交換器に外気を送風する送風機等を搭載している。空気冷媒熱交換器にて外気の熱を吸収し、水冷媒熱交換器にて水を高温の湯に沸き上げることができる。
【００１３】
貯湯タンク４内には、ヒートポンプユニット５にて沸き上げられた湯及び沸き上げ前の水が貯留される。貯湯タンク４とヒートポンプユニット５とは、加熱循環回路６を介して接続されている。この加熱循環回路６は、貯湯タンク４の上部と下部とに接続されている。加熱循環回路６は、水を循環させる循環ポンプ（図示せず）を備える。外気温センサ２７は、ヒートポンプユニット５の周囲の外気温を検知する。貯湯タンク４には、複数の貯湯温度センサ３０ａ〜３０ｄがそれぞれ異なる高さの位置に設置されている。これらの貯湯温度センサ３０ａ〜３０ｄにより、貯湯タンク４内の鉛直方向の温度分布を検知することができる。例えば、貯湯温度センサ３０ａ〜３０ｄは、貯湯タンク４の上部からのタンク内容積がそれぞれ所定の量（本実施形態では、０Ｌ、５０Ｌ、１００Ｌ、１５０Ｌとする）となるような位置（高さ）に配置されてもよい。制御装置５０は、貯湯温度センサ３０ａ〜３０ｄにより、貯湯タンク４内の貯湯温度及び貯湯量を検知できる。
【００１４】
給湯管７は、その一端が貯湯タンク４の上部に接続され、他端は分岐してふろ給湯用混合弁８と一般給湯用混合弁９とにそれぞれ接続されている。貯湯タンク４内に貯えられた湯は、給湯管７を通って、ふろ給湯用混合弁８と一般給湯用混合弁９とに供給される。給水管１０は、水道管等の水源に接続される。減圧弁１１は、給水管１０に取り付けられ、水源水圧を所定圧力に減圧する。減圧弁１１の下流側の給水管１０は、分岐してふろ給湯用混合弁８、一般給湯用混合弁９、貯湯タンク４の下部にそれぞれ接続されており、これらに水源からの水を供給する。
【００１５】
ヒートポンプユニット５で加熱した高温の湯を貯湯タンク４内に蓄積する沸き上げ運転のときには、以下のようになる。ヒートポンプユニット５と、加熱循環回路６の循環ポンプとが運転される。貯湯タンク４の下部から導出された水がヒートポンプユニット５に送られて沸き上げられ、ヒートポンプユニット５で沸き上げられた高温の湯が貯湯タンク４の上部に戻される。
【００１６】
ふろ給湯用混合弁８には、ふろ給湯管１３が接続されている。ふろ給湯管１３には、浴槽９２への湯の供給と停止とを切り替えるふろ給湯用電磁弁１４と、給湯流量を検知するふろ給湯用流量センサ１５と、浴槽９２へ送られる湯の温度を検知するふろ往き温度センサ１６とが設けられている。ふろ給湯管１３は、ふろ往き管２１及びふろ戻り管２２を有するふろ循環回路１２に接続されている。ふろ往き管２１及びふろ戻り管２２は、浴槽９２に取り付けられた浴槽アダプタ９３に接続されている。ふろ戻り管２２の途中には、浴槽９２の追い焚き、すなわち浴槽９２の浴水の加熱を行うための追焚熱交換器１９と、浴槽９２の浴水をふろ循環回路１２に循環させるふろ循環ポンプ２３と、ふろ戻り温度センサ２４と、水流を検知するフロースイッチ２５と、浴槽９２の水位を検知する水位センサ２６とが設けられている。
【００１７】
浴槽９２に湯を張るふろ湯張り動作のときには、以下のようになる。ふろ給湯用電磁弁１４が開かれ、ふろ往き温度センサ１６で検知される湯温が、ユーザーがリモコン装置６０にて設定した、ふろ設定温度に等しくなるように、給湯管７から供給される高温の湯と、給水管１０から供給される水との混合比がふろ給湯用混合弁８により制御される。ふろ給湯用混合弁８により温度調節された湯は、ふろ給湯管１３、ふろ往き管２１及びふろ戻り管２２を通って、浴槽９２に注入される。そして、ふろ給湯用流量センサ１５または水位センサ２６により検知される情報に基づいて、浴槽９２内に溜まった湯量がユーザーがリモコン装置６０にて設定した湯張り量に達したかどうかを判断し、達したと判断した場合には、ふろ給湯用電磁弁１４を閉じてふろ湯張り動作を終了する。
【００１８】
浴槽９２内に湯を追加する差し湯動作のとき、または浴槽９２内に水を追加する差し水動作のときには、浴槽９２内に所定温度の湯または水が所定量追加されるように、ふろ給湯用流量センサ１５及びふろ往き温度センサ１６の検知情報に基づいて、ふろ給湯用電磁弁１４及びふろ給湯用混合弁８が制御される。
【００１９】
一般給湯用混合弁９には、一般給湯管１７が接続されている。一般給湯管１７には、給湯温度センサ２８と給湯流量センサ２９とが設けられている。一般給湯管１７は、例えば流し台、洗面台、シャワー等の蛇口へ繋がっている。これらの蛇口に給湯する蛇口給湯動作のときには、給湯温度センサ２８で検知される湯温が、ユーザーがリモコン装置６０にて設定した給湯設定温度に等しくなるように、給湯管７から供給される高温の湯と、給水管１０から供給される水との混合比が一般給湯用混合弁９により制御される。
【００２０】
タンク循環回路１８は、貯湯タンク４の上部から追焚熱交換器１９を経由して貯湯タンク４の下部に接続された流路である。タンク循環回路１８には、熱源側循環ポンプ２０が設けられている。浴槽９２の浴水を加熱する追焚運転のときには、以下のようになる。熱源側循環ポンプ２０及びふろ循環ポンプ２３が運転され、タンク循環回路１８によって貯湯タンク４から導かれた湯と、浴槽９２から導かれた浴水とが追焚熱交換器１９で熱交換する。貯湯タンク４から導かれた湯は、この熱交換により温度低下し、貯湯タンク４の下部に戻され、加熱された浴水は浴槽９２に戻る。そして、ふろ戻り温度センサ２４により検知される、浴槽９２内の浴水の温度が、ふろ設定温度に到達した場合には、熱源側循環ポンプ２０及びふろ循環ポンプ２３が停止される。すなわち、追焚運転が終了される。
【００２１】
図２は、実施の形態１の貯湯式給湯システム１の制御動作を説明するためのフローチャートである。図２のステップＳ１で、追焚運転の実施を設定するユーザー操作がリモコン装置６０に入力された場合には、ステップＳ２へ移行する。ステップＳ２で、制御装置５０は、貯湯温度センサ３０ａ〜３０ｄで検知される現在の貯湯温度と、基準温度とを比較する。基準温度は、ふろ設定温度に、正の補正値αを加算した温度である。例えば、ふろ設定温度が４０℃、補正値αが＋３℃と仮定した場合には、基準温度は４３℃になる。
【００２２】
現在の貯湯温度が基準温度に比べて高い場合には、ステップＳ２からステップＳ３へ移行する。ステップＳ３で、制御装置５０は、追焚運転を開始する。このように、現在の貯湯温度が基準温度に比べて高い場合には、追焚運転の実施が許可される。
【００２３】
これに対し、現在の貯湯温度が基準温度以下の場合には、ステップＳ２からステップＳ４へ移行する。ステップＳ４で、制御装置５０は、追焚運転の実施を禁止する。すなわち、追焚運転を開始しない。
【００２４】
本実施の形態であれば、以下の効果が得られる。ふろ設定温度は、追焚運転のときに浴槽９２内の浴水を昇温する目標温度となる。貯湯温度がふろ設定温度より低い場合には、浴槽９２内の浴水をふろ設定温度まで昇温できない。貯湯温度がふろ設定温度に等しい場合には、浴槽９２内の浴水をふろ設定温度まで昇温するのに長時間を要する。これらの場合に追焚運転を実施すると、ユーザーは、「追焚運転をしているのに浴槽９２の湯がいつまでも温まらない」といった不快感を覚える可能性がある。これに対し、本実施の形態であれば、ふろ設定温度に基づいて決めた基準温度と貯湯温度とを比較することで、追焚運転の実施を許可するか禁止するかを決める。浴槽９２内の浴水をふろ設定温度まで昇温できない場合、あるいはふろ設定温度まで昇温するのに長時間を要する場合には、追焚運転の実施が禁止される。このため、ユーザーが上記のような不快感を覚えることを確実に防止できる。
【００２５】
ふろ設定温度が低い値に設定されている場合には、貯湯温度が比較的低くても、浴槽９２内の浴水をふろ設定温度まで確実に昇温できる。本実施の形態では、ふろ設定温度が低い値に設定されていれば、追焚運転の実施を許可する貯湯温度の閾値、すなわち上記基準温度が低くなる。このため、追焚運転の実施が不必要に禁止されることがない。よって、浴槽９２の追焚きをする際に、貯湯タンク４の残湯を有効に利用できる。これらのことから、ユーザーにとって使い勝手を向上できる。
【００２６】
本実施の形態では、ふろ設定温度に正の補正値αを加算した温度を基準温度としている。これにより、追焚熱交換器１９で浴水をふろ設定温度より高い温度まで加熱できる。このため、追焚熱交換器１９で加熱された浴水がふろ往き管２１を通って浴槽９２へ戻る間に放熱したり、浴槽９２が周囲へ放熱したりする場合であっても、浴槽９２内の浴水をふろ設定温度まで確実に昇温できる。
【００２７】
上記の例に限らず、基準温度は、ふろ設定温度に等しくてもよい。すなわち、補正値αは、無くてもよい。ただし、通常は、ふろ往き管２１及び浴槽９２から周囲への放熱がありうるため、補正値αを設けることが望ましい。追焚熱交換器１９のロスも考慮すると、補正値αは、３℃以上の値が望ましい。
【００２８】
上記ステップＳ２で、貯湯温度と基準温度とを比較することに代えて、基準温度より高い温度の貯湯量を基準値と比較してもよい。そして、基準温度より高い温度の貯湯量が基準値に比べて多い場合には追焚運転の実施を許可し、基準温度より高い温度の貯湯量が基準値以下の場合には追焚運転の実施を禁止してもよい。そのようにした場合であっても、上述した効果と類似の効果が得られる。例えば、ふろ設定温度が４２℃であり、基準温度がふろ設定温度に等しい４２℃であり、基準値が１００Ｌであると仮定する。このとき、貯湯タンク４の上部からの内容積が１００Ｌの位置にある貯湯温度センサ３０ｃの検知温度が４５℃である場合には、４２℃よりも高い温度の貯湯量が１００Ｌ以上であるとみなせる。よって、この場合には追焚運転の実施を許可する。これに対し、貯湯温度センサ３０ｃの検知温度が４１℃である場合には、４２℃よりも高い温度の貯湯量が１００Ｌ未満であるとみなせる。よって、この場合には追焚運転の実施を禁止する。
【００２９】
実施の形態２．
次に、図３を参照して、実施の形態２について説明するが、上述した実施の形態１との相違点を中心に説明し、同一部分または相当部分については説明を簡略化または省略する。本実施の形態の機器の構成については、実施の形態１の図１と同じであるので説明を省略する。
【００３０】
図３は、実施の形態２の貯湯式給湯システム１の制御動作を説明するためのフローチャートである。図３のステップＳ１１で、制御装置５０は、追焚運転が実施中であるか否かを判断する。追焚運転が実施中の場合には、ステップＳ１１からステップＳ１２へ移行する。ステップＳ１２で、制御装置５０は、ふろ設定温度が変更されたかどうかを判断する。すなわち、ふろ設定温度を変更するユーザー操作がリモコン装置６０に入力されたか否かを判断する。ふろ設定温度が変更された場合には、ステップＳ１２からステップＳ１３へ移行する。
【００３１】
ステップＳ１３で、制御装置５０は、貯湯温度センサ３０ａ〜３０ｄで検知される現在の貯湯温度と、基準温度とを比較する。基準温度は、ステップＳ１２で変更される前のふろ設定温度に、正の補正値αを加算した温度である。現在の貯湯温度が基準温度に比べて高い場合には、ステップＳ１３からステップＳ１４へ移行する。ステップＳ１４で、制御装置５０は、追焚運転を継続する。すなわち、追焚運転の実施を許可する。これに対し、現在の貯湯温度が基準温度以下の場合には、ステップＳ１３からステップＳ１５へ移行する。ステップＳ１５で、制御装置５０は、追焚運転を停止する。すなわち、追焚運転の実施を禁止する。
【００３２】
このように、本実施の形態では、追焚運転の実施中にふろ設定温度が変更された場合に、その変更される前のふろ設定温度の値に基づいて、追焚運転の実施を許可するか禁止するかが決定される。これに対し、変更後のふろ設定温度の値に基づいて追焚運転の実施を許可するか禁止するかが決定した場合、以下のようになる可能性がある。例えば、追焚運転の実施中にふろ設定温度が４０℃から４２℃に変更されたとし、貯湯温度が４６℃であるとし、補正値αが＋５℃であると仮定する。この場合に、変更後の４６℃に補正値α＝５℃を加算した基準温度４７℃とすると、貯湯温度４６℃を超過してしまう。この場合に、追焚運転を禁止し、追焚運転を途中で停止してしまうと、ユーザーが不快感を覚える可能性がある。これに対し、本実施の形態であれば、追焚運転の実施中にふろ設定温度が変更された場合であっても、その変更される前のふろ設定温度の値に基づいて追焚運転の実施を許可するか禁止するかが決定されるので、上記のような場合でも追焚運転を途中で停止してしまうことを防止できる。よって、ユーザーが意図しないような追焚運転の途中停止を防止できる。また、追焚運転を不必要に停止しないことで、貯湯タンク４の残湯を有効に利用できる。これらのことから、ユーザーにとって使い勝手を向上できる。
【００３３】
以下、実施の形態１及び２の変形例について説明する。実施の形態１または２において、以下の変形例の少なくとも一つを組み合わせてもよい。
【００３４】
（変形例１）制御装置５０は、貯湯温度センサ３０ａ〜３０ｄで検知される現在の貯湯温度が、予め設定された下限貯湯温度に比べて低い場合には、ふろ設定温度にかかわらず、追焚運転の実施を禁止してもよい。下限貯湯温度は、少なくともシャワー１回分の給湯量に相当する湯量が貯湯タンク４内に残るような値でもよい。下限貯湯温度は、例えば４３℃でもよい。追焚運転よりも、シャワーまたは蛇口などの給湯を優先したい場合には、下限貯湯温度を設定することで、シャワーまたは蛇口などの給湯に利用できる湯を貯湯タンク４内に確実に残すことができる。下限貯湯温度は、制御装置５０に予め記憶されていてもよい。また、ユーザーが下限貯湯温度を、希望する値に設定可能でもよい。例えば、ユーザーが下限貯湯温度の値をリモコン装置６０に入力可能でもよい。ユーザーが下限貯湯温度を変更できるようにすることで、ユーザー毎の使用形態または季節の変化などに応じて、さらに良好な使い勝手を実現できる。
【００３５】
（変形例２）制御装置５０は、追焚運転の実施を禁止した場合に、追焚運転の実施が禁止されたことをユーザーに報知する制御をしてもよい。図４は、リモコン装置６０の外観を示す図である。図４に示すリモコン装置６０は、表示部６０ａ及び操作部６０ｃを備える。制御装置５０は、例えば「追焚きが禁止されました」のようなメッセージ６０ｂを表示部６０ａに表示させることで、追焚運転の実施が禁止されたことをユーザーに報知してもよい。または、リモコン装置６０から音声を出力することで追焚運転の実施が禁止されたことをユーザーに報知してもよい。追焚運転の実施が禁止されたことをユーザーに報知することで、ユーザーの誤解、例えば追焚運転の機能が故障したのではないかという誤解を生じることを確実に防止できる。
【００３６】
（変形例３）制御装置５０は、貯湯タンク４の貯湯温度または貯湯量が、追焚運転の実施を禁止する閾値の近くまで低下した場合に、追焚運転の実施が禁止される可能性があることを事前にユーザーに報知する制御をしてもよい。例えば、制御装置５０は、現在の貯湯温度が、前述した基準温度より高い第二基準温度と、前述した基準温度との間の温度である場合に、追焚運転の実施が禁止される可能性があることを事前にユーザーに報知してもよい。または、制御装置５０は、基準温度より高い温度の貯湯量が、前述した基準値より大きい第二基準値と、前述した基準値との間の量である場合に、追焚運転の実施が禁止される可能性があることを事前にユーザーに報知してもよい。制御装置５０は、例えば「タンクのお湯が少なくなりました。追焚きが禁止される場合があります。」のようなメッセージをリモコン装置６０の表示部６０ａに表示させることで、追焚運転の実施が禁止される可能性があることを事前にユーザーに報知してもよい。または、リモコン装置６０から音声を出力することで追焚運転の実施が禁止される可能性があることを事前にユーザーに報知してもよい。以上のようにすることで、追焚運転ができなくなる前にユーザーに知らせることができるので、追焚運転が突然できなくなってユーザーが不快感を覚えるようなことを確実に防止できる。
【００３７】
（変形例４）制御装置５０は、浴槽９２に溜められた浴水の量が多い場合には、当該浴水の量が少ない場合に比べて、図２のステップＳ２または図３のステップＳ１３の補正値αの値を大きくしてもよい。浴槽９２に溜められた浴水の量が多いほど、昇温に必要な熱量も多くなる。このため、上記のようにすることで、追焚運転を許可するか禁止するかを、浴槽９２に溜められた浴水の量に応じて、より適切に決めることができる。例えば、浴槽９２に溜められた浴水の量が１００Ｌのときには補正値αを＋３℃とし、浴槽９２に溜められた浴水の量が２００Ｌのときには補正値αを＋５℃としてもよい。上記の判断において、制御装置５０は、浴槽９２に溜められた浴水の量の値として、ユーザーがリモコン装置６０にて設定した湯張り量の値を用いてもよい。または、制御装置５０は、ふろ給湯用流量センサ１５または水位センサ２６により検知される情報に基づいて、浴槽９２に溜められた浴水の量の値を計算しても良い。制御装置５０は、浴槽９２に溜められた浴水の量の値に対して、補正値αを線形近似することで計算してもよい。
【００３８】
図５は、実施の形態１または２の貯湯式給湯システム１が備える制御装置５０のハードウェアの例を示す図である。制御装置５０の各機能は、処理回路により実現される。図５に示す例では、制御装置５０の処理回路は、少なくとも１つのプロセッサ５０１と少なくとも１つのメモリ５０２とを備える。処理回路が少なくとも１つのプロセッサ５０１と少なくとも１つのメモリ５０２とを備える場合、制御装置５０の各機能は、ソフトウェア、ファームウェア、またはソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ５０２に格納される。少なくとも１つのプロセッサ５０１は、少なくとも１つのメモリ５０２に記憶されたプログラムを読み出して実行することにより、制御装置５０の各機能を実現する。少なくとも１つのプロセッサ５０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰ（Ｄｉｇｉｔａｌ  Ｓｉｇｎａｌ  Ｐｒｏｃｅｓｓｏｒ）ともいう。例えば、少なくとも１つのメモリ５０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等である。
【００３９】
図６は、実施の形態１または２の貯湯式給湯システム１が備える制御装置５０のハードウェアの他の例を示す図である。図６に示す例では、制御装置５０の処理回路は、少なくとも１つの専用のハードウェア５０３を備える。処理回路が少なくとも１つの専用のハードウェア５０３を備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものである。制御装置５０の各部の機能がそれぞれ処理回路で実現されても良い。また、制御装置５０の各部の機能がまとめて処理回路で実現されても良い。
【００４０】
また、制御装置５０の各機能について、一部を専用のハードウェア５０３で実現し、他の一部をソフトウェアまたはファームウェアで実現してもよい。処理回路は、ハードウェア５０３、ソフトウェア、ファームウェア、またはこれらの組み合わせによって、制御装置５０の各機能を実現しても良い。
【００４１】
実施の形態１では、単一の制御装置５０により貯湯式給湯システム１の動作を制御する例について説明した。このような構成に限らず、複数の制御装置が連携することで、貯湯式給湯システム１の動作が制御されるような構成でもよい。
【符号の説明】
【００４２】
１  貯湯式給湯システム、  ２  タンクユニット、  ４  貯湯タンク、  ５  ヒートポンプユニット、  ６  加熱循環回路、  ７  給湯管、  ８  ふろ給湯用混合弁、  ９  一般給湯用混合弁、  １０  給水管、  １１  減圧弁、  １２  ふろ循環回路、  １３  ふろ給湯管、  １４  ふろ給湯用電磁弁、  １５  ふろ給湯用流量センサ、  １６  ふろ温度センサ、  １７  一般給湯管、  １８  タンク循環回路、  １９  追焚熱交換器、  ２０  熱源側循環ポンプ、  ２１  ふろ往き管、  ２２  ふろ戻り管、  ２３  ふろ循環ポンプ、  ２４  ふろ温度センサ、  ２５  フロースイッチ、  ２６  水位センサ、  ２７  外気温センサ、  ２８  給湯温度センサ、  ２９  給湯流量センサ、  ３０ａ，３０ｂ，３０ｃ，３０ｄ  貯湯温度センサ、  ５０  制御装置、  ６０  リモコン装置、  ６０ａ  表示部、  ６０ｂ  メッセージ、  ６０ｃ  操作部、  ９２  浴槽、  ９３  浴槽アダプタ、  ５０１  プロセッサ、  ５０２  メモリ、  ５０３  ハードウェア
【図１】
2017142025.tif 000003
【図２】
2017142025.tif 000004
【図３】
2017142025.tif 000005
【図４】
2017142025.tif 000006
【図５】
2017142025.tif 000007
【図６】
2017142025.tif 000008